(57)【要約】【課題】  本発明は、ライフログ情報のデータ量を抑制して、そのライフログ情報を他者と共有できる手段を提供する。【解決手段】  電子カメラは、撮像素子、音声入力部、記録処理部、位置情報取得部、追跡部、判定部及び通信部を備える。撮像素子は、被写体像を撮像し、画像を生成する。音声入力部は、音声を入力する。記録処理部は、画像のデータと音声のデータとをメモリに記録する。位置情報取得部は、ユーザの現在位置を示す位置情報を外部から取得する。追跡部は、位置情報に基づいて、ユーザの移動経路を電子地図上で追跡する。判定部は、追跡部の追跡結果に応じて、現在位置が電子地図上で注目位置に該当するか否かを判定する。通信部は、判定部により現在位置が注目位置に該当すると判定された場合、その注目位置において、メモリに記録された画像のデータと音声のデータとの少なくとも何れか一方を他の通信端末に送信する。【選択図】    図２
2012249164.tif 000002
【特許請求の範囲】
【請求項１】
被写体像を撮像し、画像を生成する撮像素子と、
音声を入力する音声入力部と、
前記画像のデータと前記音声のデータとをメモリに記録する記録処理部と、
ユーザの現在位置を示す位置情報を外部から取得する位置情報取得部と、
前記位置情報取得部が取得した前記位置情報に基づいて、前記ユーザの移動経路を電子地図上で追跡する追跡部と、
前記追跡部の追跡結果に応じて、前記現在位置が前記電子地図上で注目位置に該当するか否かを判定する判定部と、
前記判定部により前記現在位置が前記注目位置に該当すると判定された場合、該注目位置において、前記メモリに記録された前記画像のデータと前記音声のデータとの少なくとも何れか一方を他の通信端末に送信する通信部と、
を備えることを特徴とする電子カメラ。
【請求項２】
請求項１に記載の電子カメラにおいて、
前記電子地図上での指定場所の登録を受け付ける登録受付部をさらに備え、
前記判定部は、前記現在位置が前記指定場所である場合に、該指定場所を前記注目位置であると判定することを特徴とする電子カメラ。
【請求項３】
請求項１又は請求項２に記載の電子カメラにおいて、
前記追跡部は、前記ユーザの移動経路を移動履歴情報として前記メモリに記録し、
前記追跡部が前記移動履歴情報に基づいて前記ユーザの新たな経路の移動を追跡中の場合、前記判定部は、追跡中の現在位置を前記注目位置と判定することを特徴とする電子カメラ。
【請求項４】
請求項１から請求項３の何れか１項に記載の電子カメラにおいて、
前記音声入力部に入力された音声を解析する音声解析部をさらに備え、
前記音声の音量が予め設定した閾値よりも大きい場合、前記通信部は、前記画像のデータのみを前記通信端末に送信し、
前記音声の音量が予め設定した閾値以下の場合、前記通信部は、前記画像のデータ及び前記音声のデータを前記通信端末に送信することを特徴とする電子カメラ。
【請求項５】
請求項１から請求項４の何れか１項に記載の電子カメラにおいて、
前記画像の視認性を評価する視認性評価部をさらに備え、
前記視認性を示す評価値が閾値以下の場合、前記通信部は、前記音声のデータのみを前記通信端末に送信し、
前記視認性を示す評価値が閾値よりも大きい場合、前記通信部は、前記画像のデータ及び前記音声のデータを前記通信端末に送信することを特徴とする電子カメラ。
【請求項６】
請求項１から請求項５の何れか１項に記載の電子カメラにおいて、
前記通信部は、前記通信端末側から前記画像のデータと前記音声のデータとの少なくとも何れか一方の受信の拒否を示す拒否通知を受け付けた場合、該拒否通知を受け付けた時刻を前記メモリに記録し、次回以降、前記通信端末に対して前記時刻又は該時刻から予め設定した時間の範囲内での通信を行なわないことを特徴とする電子カメラ。
【請求項７】
請求項１から請求項６の何れか１項に記載の電子カメラにおいて、
前記追跡部が前記ユーザの移動の停止を検出した場合、前記通信部は、前記通信端末側への送信を終了することを特徴とする電子カメラ。
【請求項８】
請求項１から請求項７の何れか１項に記載の電子カメラにおいて、
前記通信部による送信処理の終了を示す指示入力を受け付ける操作部をさらに備え、
前記追跡部は、前記操作部が前記指示入力を受け付けた場合、前記ユーザの現在位置を通信終了位置として前記メモリに記録し、
前記通信部は、次回以降、前記追跡部が前記通信終了位置の到達を検出した場合、前記通信端末側への送信を終了することを特徴とする電子カメラ。
【請求項９】
請求項１から８の何れか１項記載の電子カメラと、
前記電子カメラと通信を行なう他の通信端末と、
を備えることを特徴とする通信システム。
【請求項１０】
請求項９に記載の通信システムにおいて、
前記電子カメラと前記通信端末との間の通信を仲介する基地局をさらに備えることを特徴とする通信システム。
【発明の詳細な説明】
【技術分野】
【０００１】
本発明は、電子カメラ、通信システムに関する。
【背景技術】
【０００２】
近年、ユーザの行動履歴を撮影して記録する撮影履歴記録システムが提案されている（例えば、特許文献１参照）。
【先行技術文献】
【特許文献】
【０００３】
【特許文献１】特開２０１０−６８４９９号公報
【発明の概要】
【発明が解決しようとする課題】
【０００４】
しかし、上記の従来技術では、ユーザの行動履歴を示す情報（以下「ライフログ情報」という）を他者と共有する点について、考慮されていない。また、ライフログ情報を他者と共有する場合には、ユーザの行動時間に比例して、そのライフログ情報（例えば、動画）のデータ量が膨大になるおそれがある。
【０００５】
そこで、本発明は、上記事情に鑑み、ライフログ情報のデータ量を抑制して、そのライフログ情報を他者と共有できる手段を提供することを目的とする。
【課題を解決するための手段】
【０００６】
第１の発明に係る電子カメラは、撮像素子と、音声入力部と、記録処理部と、位置情報取得部と、追跡部と、判定部と、通信部とを備える。撮像素子は、被写体像を撮像し、画像を生成する。音声入力部は、音声を入力する。記録処理部は、画像のデータと音声のデータとをメモリに記録する。位置情報取得部は、ユーザの現在位置を示す位置情報を外部から取得する。追跡部は、位置情報取得部が取得した位置情報に基づいて、ユーザの移動経路を電子地図上で追跡する。判定部は、追跡部の追跡結果に応じて、現在位置が電子地図上で注目位置に該当するか否かを判定する。通信部は、判定部により現在位置が注目位置に該当すると判定された場合、その注目位置において、メモリに記録された画像のデータと音声のデータとの少なくとも何れか一方を他の通信端末に送信する。
【０００７】
第２の発明は、第１の発明において、登録受付部をさらに備える。登録受付部は、電子地図上での指定場所の登録を受け付ける。判定部は、現在位置が指定場所である場合に、その指定場所を注目位置であると判定する。
【０００８】
第３の発明は、第１又は第２の発明において、追跡部は、ユーザの移動経路を移動履歴情報としてメモリに記録する。追跡部が移動履歴情報に基づいてユーザの新たな経路の移動を追跡中の場合、判定部は、追跡中の現在位置を注目位置と判定する。
【０００９】
第４の発明は、第１から第３の何れか１の発明において、音声入力部に入力された音声を解析する音声解析部をさらに備える。追跡部は、ユーザの移動経路を移動履歴情報としてメモリに記録する。追跡部が移動履歴情報に基づいてユーザの新たな経路の移動を追跡中の場合、判定部は、追跡中の現在位置を注目位置と判定する。
【００１０】
第５の発明は、第１から第４の何れか１の発明において、画像の視認性を評価する視認性評価部をさらに備える。視認性を示す評価値が閾値以下の場合、通信部は、音声のデータのみを通信端末に送信する。視認性を示す評価値が閾値よりも大きい場合、通信部は、画像のデータ及び音声のデータを通信端末に送信する。
【００１１】
第６の発明は、第１から第５の何れか１の発明において、通信部は、通信端末側から画像のデータと音声のデータとの少なくとも何れか一方の受信の拒否を示す拒否通知を受け付けた場合、その拒否通知を受け付けた時刻をメモリに記録し、次回以降、通信端末に対してその時刻又はその時刻から予め設定した時間の範囲内での通信を行なわない。
【００１２】
第７の発明は、第１から第６の何れか１の発明において、追跡部がユーザの移動の停止を検出した場合、通信部は、通信端末側への送信を終了する。
【００１３】
第８の発明は、第１から第７の何れか１の発明において、操作部をさらに備える。操作部は、通信部による送信処理の終了を示す指示入力を受け付ける。追跡部は、操作部が指示入力を受け付けた場合、ユーザの現在位置を通信終了位置としてメモリに記録する。通信部は、次回以降、追跡部が通信終了位置の到達を検出した場合、通信端末側への送信を終了する。
【００１４】
第９の発明に係る通信システムは、請求項１から８の何れか１項記載の電子カメラと、その電子カメラと通信を行なう他の通信端末とを備える。
【００１５】
第１０の発明は、第９の発明において、電子カメラと通信端末との間の通信を仲介する基地局をさらに備える。
【発明の効果】
【００１６】
本発明によれば、ライフログ情報のデータ量を抑制して、そのライフログ情報を他者と共有できる手段を提供できる。
【図面の簡単な説明】
【００１７】
【図１】本発明の一実施形態における通信システム１００の全体構成図
【図２】電子カメラ１の構成例を説明するブロック図
【図３】登録受付部２７ｄが登録した指定場所のデータベースの一例を説明する図
【図４】通信端末５０の構成例を説明するブロック図
【図５】通信システム１００の動作の一例を示すフローチャート
【図６】電子カメラ１と通信端末５０との間のシーケンスの一例を説明する図
【図７】電子地図上での追跡部２７ｃの処理の一例を示す図
【図８】第３変形例を説明する図
【図９】第４変形例を説明する図
【図１０】第４変形例の他の事例を説明する図
【発明を実施するための形態】
【００１８】
以下、図面に基づいて本発明の実施の形態を詳細に説明する。
【００１９】
図１は、本発明の一実施形態における通信システム１００の全体構成図である。通信システム１００は、本発明の電子カメラ１と、基地局４０と、インターネット網４１と、電子カメラ１と通信を行なう通信端末５０とを備える。電子カメラ１は、携帯電話機能を有している。図１では、ストラップＳを用いた首かけタイプの電子カメラ１を例示している。すなわち、電子カメラ１は、ストラップＳを用いてユーザ（人物Ｐ１）の首にかけることで装着される。この場合、電子カメラ１が被写体を撮影できるようにするため、電子カメラ１の撮影光学系１０のレンズがユーザの正面方向を向くようにして、電子カメラ１は、人物Ｐ１に装着される。なお、電子カメラ１は、必要に応じて、ユーザの手により構図が設定されて撮影が行なわれても良い。
【００２０】
また、通信システム１００では、電子カメラ１に位置情報を提供するＧＰＳ（Global Positioning System）衛星３１を利用する。さらに、通信システム１００では、電子カメラ１とインターネット網４１とを無線通信で接続する基地局４０を利用する。以下、電子カメラ１及び通信端末５０の構成について具体的に説明する。
＜電子カメラ１＞
図２は、電子カメラ１の構成例を説明するブロック図である。ここで、電子カメラ１は、電子カメラ１のユーザの行動履歴を記録するライフログモードの機能を有している。ライフログモードでは、例えば、ユーザ（例えば人物Ｐ１）が装着している電子カメラ１が継続的に動画や音声を記録することにより、そのユーザが日常生活で目にする光景をライフログ情報（画像のデータや音声のデータ）として取得する。さらに、本実施形態のライフログモードでは、ユーザが注目位置を移動する場合、通信端末５０の利用者とライフログ情報を共有することができる（詳細は後述する）。
【００２１】
電子カメラ１は、図２に示す通り、撮影光学系１０と、撮像素子１１と、信号処理部１２と、ＲＡＭ（Random Access Memory）１３と、画像処理部１４と、フラッシュメモリ１５と、表示モニタ１６と、記録インターフェース部（以下「記録Ｉ／Ｆ部」という）１７と、通信部１８と、アンテナ１８ａと、音声処理部１９と、スピーカ２０と、マイク２１と、操作部２２と、レリーズ釦２３と、ＧＰＳ受信機２４と、加速度センサ２５と、照度センサ２６と、ＣＰＵ（Central Processing Unit）２７と、データバス２８とを備える。
【００２２】
このうち、信号処理部１２、ＲＡＭ１３、画像処理部１４、フラッシュメモリ１５、表示モニタ１６、記録Ｉ／Ｆ部１７、通信部１８、音声処理部１９及びＣＰＵ２７は、データバス２８を介して互いに接続されている。また、信号処理部１２、操作部２２、レリーズ釦２３、ＧＰＳ受信機２４、加速度センサ２５及び照度センサ２６は、ＣＰＵ２７に接続されている。
【００２３】
撮影光学系１０は、ズームレンズとフォーカスレンズとを含む複数のレンズ群で構成されている。なお、簡単のため、図２では、撮影光学系１０を１枚のレンズとして図示する。撮像素子１１は、被写体の像を撮像して画像データを生成する。撮像素子１１は、例えばＣＣＤ（Charge Coupled Device）型のカラーイメージセンサである。なお、撮像素子１１は、ＣＭＯＳ（Complementary Metal-Oxide Semiconductor）型のカラーイメージセンサであっても良い。信号処理部１２は、例えば、アナログフロントエンド（ＡＦＥ）回路と、Ａ／Ｄ変換部と、デジタルフロントエンド（ＤＦＥ）回路とを有している。
【００２４】
ＡＦＥ回路は、撮像素子１１が出力する画像信号に対してアナログ信号処理を施す。Ａ／Ｄ変換部は、アナログの画像信号をデジタルの画像信号に変換する。ＤＦＥ回路は、Ａ／Ｄ変換後の画像信号にデジタル信号処理を施す。なお、信号処理部１２が出力する画像信号は、画像データとしてＲＡＭ１３に一時的に記録される。ＲＡＭ１３は、バッファメモリの機能を有し、画像データを一時的に記録する。さらに、ＲＡＭ１３は、ＣＰＵ２７の処理の過程で生成した画像データ等を一時的に記録する。
【００２５】
画像処理部１４は、ＲＡＭ１３に記録されている画像データを読み出し、各種の画像処理（例えば、輪郭強調処理、色補間処理等）を施す。
【００２６】
フラッシュメモリ１５は、不揮発性のメモリであって、例えば、電子カメラ１の制御を行なうプログラムを予め記憶している。また、フラッシュメモリ１５は、携帯電話機能を制御するためのＯＳ（オペレーションシステム）等のプログラムを予め記憶している。さらに、フラッシュメモリ１５は、電子地図のデータを予め記憶している。
【００２７】
表示モニタ１６は、例えば液晶表示媒体により構成される。また、表示モニタ１６は、ＣＰＵ２７の指示に応じて、例えば画像や電子カメラ１の操作メニュー等を表示する。
【００２８】
記録Ｉ／Ｆ部１７は、データの書き込みや読み出しのインターフェースを提供する。記録Ｉ／Ｆ部１７には、着脱自在の記録媒体３０を接続するためのコネクタ（不図示）が形成されている。そして、記録Ｉ／Ｆ部１７は、例えば、そのコネクタに接続された記録媒体３０にアクセスして画像のデータや音声のデータ（音声信号）の記録処理を行なう。記録媒体３０は、一例として、不揮発性のメモリカードである。図２では、コネクタに接続された後の記録媒体３０を示している。通信部１８は、アンテナ１８ａを介して基地局４０との無線通信を行なう。
【００２９】
音声処理部１９は、マイク２１を介して入力されたアナログの音声信号をデジタルの音声信号に変換して音声信号を取得する。後述する記録処理部２７ａは、取得された音声信号を記録媒体３０に記録する録音処理を行なう。また、音声処理部１９は、音声信号をスピーカ２１を介して音声に変換し、その音声の出力処理を行なう。
【００３０】
操作部２２は、タッチパネル方式を採用し、表示モニタ１６上のタッチパネル表面に接触した指先等の位置を検出する。そして、操作部２２は、検出した位置情報をＣＰＵ２５に出力することでユーザ（撮影者）からの操作を受け付ける。レリーズ釦２３は、半押し操作の指示入力と全押し操作（撮像動作開始）との指示入力とを受け付ける。
【００３１】
ＧＰＳ受信機２４は、ＧＰＳ衛星３１からの電波をＧＰＳアンテナ（不図示）により受信して、位置情報（経度、緯度、方位等）をＣＰＵ２７に出力する。加速度センサ２５は、３次元方向（相互に直交するＸ軸、Ｙ軸、Ｚ軸の３軸方向）の加速度を計測するセンサである。この加速度センサ２５は、各軸方向における検出値をＣＰＵ２７に出力する。照度センサ２６は、光量を検出するセンサである。この照度センサ２６は、検出した光量の値をＣＰＵ２７に出力する。
【００３２】
ＣＰＵ２７は、各種演算及び電子カメラ１の制御を行なうプロセッサである。ＣＰＵ２７は、フラッシュメモリ１５に予め格納されたシーケンスプログラムを実行することにより、電子カメラ１の各部の制御等を行なう。また、ＣＰＵ２７は、時刻等の計時機能を有する。
【００３３】
また、ＣＰＵ２７は、携帯電話機能を制御するためのＯＳ（オペレーションシステム）を起動することにより、携帯電話機能に応じた各種の処理を行なう。また、ＣＰＵ２７は、記録処理部２７ａと、位置情報取得部２７ｂと、追跡部２７ｃと、登録受付部２７ｄと、判定部２７ｅと、音声解析部２７ｆと、視認性評価部２７ｇとしても機能する。
【００３４】
記録処理部２７ａは、画像のデータと音声のデータとを必要に応じてフラッシュメモリ１５又は記録媒体３０に記録する処理を行なう。
【００３５】
位置情報取得部２７ｂは、ユーザの現在位置を示す位置情報をＧＰＳ受信機２４から取得する。
【００３６】
追跡部２７ｃは、位置情報取得部２７ｂが取得した位置情報に基づいて、ユーザの移動経路を電子地図上で追跡する。具体的には、追跡部２７ｃは、位置情報取得部２７ｂが取得した位置情報（経度、緯度、方位等）を電子地図上で照合することにより、ユーザの移動経路を追跡する。また、追跡部２７ｃは、ユーザの移動経路を移動履歴情報としてフラッシュメモリ１５に記録する。例えば、追跡部２７ｃは、所定の時間間隔で位置情報（経度、緯度、方位等）を移動履歴情報としてフラッシュメモリ１５に順次記録する。
【００３７】
登録受付部２７ｄは、ユーザ入力により電子地図上での指定場所の登録を受け付ける。具体的には、ＣＰＵ２７は、ユーザ入力により表示モニタ１６に電子地図を表示する。そして、登録受付部２７ｄは、例えばタッチパネル上での指先の指定位置を、電子地図上での指定場所（注目位置）として受け付ける。
【００３８】
例えば、登録受付部２７ｄは、ユーザ入力により電子地図上での指定場所として、観光地として有名な東京タワーを受け付けたとする。この場合、登録受付部２７ｄは、東京タワーの位置情報をフラッシュメモリ１５内のデータベースに登録する。
【００３９】
図３は、登録受付部２７ｄが登録した指定場所のデータベースの一例を説明する図である。図３では、東京タワーの位置情報が登録される。追跡部２７ｃは、指定場所のデータベースを参照して、ユーザの移動経路を電子地図上で追跡する。ここで、指定場所として、東京タワーを登録した場合、例えば、東京タワーの位置座標から半径５０ｍ以内のライフログ情報を通信端末５０の利用者と共有するようにしても良い。なお、電子地図上での指定場所は、ユーザ入力により例えば、東京タワー、スカイツリー、国会議事堂前等の任意の場所であって良い。
【００４０】
判定部２７ｅは、追跡部２７ｃの追跡結果に応じて、現在位置が電子地図上で注目位置に該当するか否かを判定する。具体的には、判定部２７ｅは、現在位置が指定場所である場合に、その指定場所を注目位置であると判定する。また、追跡部２７ｃが移動履歴情報に基づいてユーザの新たな経路の移動を追跡中の場合、判定部２７ｅは、追跡中の現在位置を注目位置と判定しても良い。これにより、本実施形態では、注目位置に関するライフログ情報を通信端末５０の利用者と共有することができるので、全てのライフログ情報を共有しないで済む。
【００４１】
ここで、通信部１８は、判定部２７ｅにより現在位置が注目位置に該当すると判定された場合、その注目位置において、フラッシュメモリ１５又は記録媒体３０に記録された画像のデータと音声のデータとを通信端末５０に送信する。なお、音声解析部２７ｆについては、第１変形例で説明し、視認性評価部２７ｇについては、第２変形例で説明する。
＜通信端末５０＞
図４は、通信端末５０の構成例を説明するブロック図である。通信端末５０は、電子カメラ１からの要求に応じて、インターネット網４１を通じて電子カメラ１からライフログ情報のデータを受信する機能を有する。また、通信端末５０は、サーバーとしての機能も有し、他の通信端末（不図示）にライフログ情報のデータを配信することができる。
【００４２】
ここで、通信端末５０は、通信インターフェース部（以下「通信Ｉ／Ｆ部」という）２と、ハードディスク装置３と、表示モニタ４と、入出力インターフェース部（以下「入出力Ｉ／Ｆ部」という）５と、音声処理部６と、マイク６ａと、スピーカ６ｂと、操作部７と、サーバー用ＣＰＵ８と、データバス９とを備える。
【００４３】
このうち、通信Ｉ／Ｆ部２と、ハードディスク装置３と、表示部４と、入出力Ｉ／Ｆ部５、音声処理部６及びサーバー用ＣＰＵ８は、データバス９を介して互いに接続されている
通信Ｉ／Ｆ部２は、通信端末５０をインターネット網４１に接続するためのインターフェースを提供する。ハードディスク装置３は、サーバー用ＣＰＵ８が実行する制御プログラムを格納する。また、ハードディスク装置３は、電子カメラ１から受信したデータ等を格納する。さらに、ハードディスク装置３は、電子地図をデータベースとして格納する。
【００４４】
表示モニタ４は、例えば液晶表示媒体により構成される。入出力Ｉ／Ｆ部５は、ＵＳＢ（Universal Serial Bus）等の規格に基づくインターフェースである。なお、入出力Ｉ／Ｆ部５には、例えば、ＤＶＤレコーダ装置（不図示）がＵＳＢを介して接続される。そして、ＤＶＤやＣＤの記録媒体４０に記憶されたプログラム等は、入出力Ｉ／Ｆ部５を介してハードディスク装置３へ読み込まれる。なお、通信端末５０の初期設定時には、アプリケーションプログラム、各種のデータ、電子地図等は、ＤＶＤ（Digital Versatile Disc）やＣＤ（Compact Disc）などの記録媒体４０（不図示）に記録されている。そして、通信端末５０の利用者が例えばインストール指示を行なった場合、アプリケーションプログラム、各種のデータ、電子地図等は、サーバー用ＣＰＵ８により記録媒体４０から読み出されてハードディスク装置３へ格納される。
【００４５】
音声処理部６は、マイク６ａを介して入力されたアナログの音声信号をデジタルの音声信号に変換して音声信号を取得する。また、音声処理部６は、音声信号をスピーカ６ｂを介して音声に変換し、その音声の出力処理を行なう。操作部７は、キーボードやマウス等、サーバー用ＣＰＵ８に対して通信端末５０の利用者が指示入力を行なうための各種の入力デバイスを含んでいる。
【００４６】
サーバー用ＣＰＵ８は、ハードディスク装置３に予め格納された制御プログラムを実行することで、通信端末５０の各部を統括制御する。また、サーバー用ＣＰＵ８は、通信制御部８ａと、表示制御部８ｂとしても機能する。
【００４７】
通信制御部８ａは、電子カメラ１との通信を制御する。具体的には、通信制御部８ａは、電子カメラ１からの発信の信号データを受信し、例えばスピーカ６ｂを介して、通信端末５０の利用者に報知する。また、通信制御部８ａは、電子カメラ１からの画像や音声のデータを受信して、ハードディスク装置３に記録する処理を行なう。表示制御部８ｂは、表示モニタ４に表示する画像等の表示態様を制御する。
【００４８】
次に、本実施形態における通信システム１００の動作の一例を説明する。図５は、通信システム１００の動作の一例を示すフローチャートである。図６は、電子カメラ１と通信端末５０との間のシーケンスの一例を説明する図である。
【００４９】
なお、通信端末５０は、常時稼働していることとする。電子カメラ１側では、電源がオンされた後、図２に示す操作部２２がライフログモードの指示入力を受け付けた場合、ＣＰＵ２７は、図５に示すフローの処理を開始させる。ここで、説明をわかりやすくするため、図１に示すユーザ（人物Ｐ１）が、東京タワー（注目位置）を訪れる場合について説明する。
【００５０】
ステップＳ１０１：ＣＰＵ２７は、動画記録を開始する。この場合、ＣＰＵ２７は、撮像素子１１に動画撮影の指示を出す。これにより、ＣＰＵ２７の記録処理部２７ａは、順次、画像のデータを記録媒体３０に記録すると共に、音声処理部１９が出力するデジタル化された後の音声のデータを記録媒体３０に同期させて記録して行く。
【００５１】
図６（ａ）は、ＣＰＵ２７による動画記録の開始時点を表している。この場合、通信端末５０側では、画像データが送信されていないことを示している。
【００５２】
ステップＳ１０２：ＣＰＵ２７の位置情報取得部２７ｂは、位置情報の取得処理を行なう。具体的には、位置情報取得部２７ｂは、ユーザの現在位置を示す位置情報をＧＰＳ受信機２４から取得する。
【００５３】
ステップＳ１０３：ＣＰＵ２７の追跡部２７ｃは、ユーザの追跡処理を行なう。具体的には、追跡部２７ｃは、位置情報取得部２７ｂが取得した位置情報（経度、緯度、方位等）を電子地図上で照合することにより、ユーザの移動経路を追跡する。
【００５４】
図７は、電子地図上での追跡部２７ｃの処理の一例を示す図である。図７では、例えば東京タワーを含む近辺の電子地図を模式的に描いている。図中の矢印（移動ベクトル）は、ユーザ（人物Ｐ１）の移動を表している。ここで、追跡部２７ｃは、位置情報取得部２７ｂが取得した位置情報を移動履歴情報として所定の時間間隔でフラッシュメモリ１５に記録する。つまり、追跡部２７ｃは、ユーザの位置情報を電子地図上で照合することにより、ユーザの移動経路を矢印の軌跡で追跡することができる。
【００５５】
ステップＳ１０４：追跡部２７ｃは、ユーザの移動を検出したか否かを判定する。具体的には、ユーザが停止している場合には、移動ベクトルがゼロになるため、追跡部２７ｃは、ユーザが停止している状態を判定することができる。ユーザが停止している場合（ステップＳ１０４：Ｎｏ）、ＣＰＵ２７は、ステップＳ１０２の処理に戻る。ユーザが移動している場合（ステップＳ１０４：Ｙｅｓ）、ＣＰＵ２７は、ステップＳ１０５の処理に移行する。
【００５６】
ステップＳ１０５：ＣＰＵ２７の判定部２７ｅは、追跡部２７ｃの追跡結果に応じて、現在位置が電子地図上で注目位置に該当するか否かを判定する。例えば、ユーザが東京タワーの近辺として半径５０ｍ以内に到達すると、判定部２７ｅは、注目位置に該当すると判定し（ステップＳ１０５：Ｙｅｓ）、ステップＳ１０５の処理に移行する。一方、ユーザが東京タワーの近辺として半径５０ｍ以内に到達していない場合（ステップＳ１０５：Ｎｏ）、ステップＳ１０２の処理に戻る。
【００５７】
例えば、図７（ａ）において、ＣＰＵ２７は、ユーザの指示入力を受け付けることにより、交差点の近くでライフログモードを開始したこととする。続いて、ユーザが移動を開始し、図７（ｂ）において、ユーザが芝公園ビルの前を左折すると、判定部２７ｅは、注目位置に該当すると判定し、ステップＳ１０６の処理に移行する。
【００５８】
ステップＳ１０６：ＣＰＵ２７は、通信部１８に指示を出すことにより、通信部１８は、発信処理を行なう。具体的には、通信部１８は、基地局４０からインターネット網４１を介して通信端末５０に通信開始のコマンドを送信する。
【００５９】
ここで、通信端末５０側において、サーバー用ＣＰＵ８の通信制御部８ａは、通信Ｉ／Ｆ部２を介して、通信開始のメッセージを受信すると、例えばスピーカにより着信音等により通信端末５０の利用者に報知する。或いは、図６（ｂ）に示す通り、表示制御部８ｂは、電子カメラ１側からの通信開始のコマンドを着信したことを示す「着信通知」を表示モニタ４に表示させても良い。続いて、操作部７は、画像データ等のライフログ情報の共有を許可する共有許可通知の指示入力を受け付けた場合、通信制御部８ａは、共有許可通知のコマンドを電子カメラ１側に送信する。
【００６０】
ステップＳ１０７：通信部１８は、通信端末５０側から、共有許可通知のコマンドが送信してきたか否かを判定する。共有許可通知のコマンドが送信されてきた場合（ステップＳ１０７：Ｙｅｓ）、ＣＰＵ２７は、ステップＳ１０８の処理に移行する。一方、共有許可通知のコマンドが送信されてこない場合（ステップＳ１０７：Ｙｅｓ）、ＣＰＵ２７は、ステップＳ１０２の処理に戻る。なお、図５のフローチャートには示していないが、共有許可通知のコマンドが予め設定した時間を過ぎても送信されてこない場合、ＣＰＵ２７は、タイムアウトとみなして図５に示すフローの処理を終了する。
【００６１】
ステップＳ１０８：ＣＰＵ２７は、通信部１８に指示を出すことにより、通信部１８は、ライフログ情報の送信処理を行なう。具体的には、通信部１８は、記録媒体４０に記録されている画像のデータと音声のデータとを通信端末５０側に送信する。ただし、通信部１８は、共有許可通知のコマンドを受信した時刻以降の画像のデータと音声のデータとを通信端末５０側に送信する。例えば、ユーザが、図７（ｃ）に示す実線の矢印で移動している間、通信部１８は、ライフログ情報を通信端末５０側に送信する。
【００６２】
ここで、通信端末５０側において、通信制御部８ａは、通信Ｉ／Ｆ部２を介してライフログ情報を受信すると、ハードディスク装置３に順次記録して行く。さらに、表示制御部８ｂは、ハードディスク装置３から画像のデータを読み出して表示モニタ４に画像を表示する。また、音声処理部６は、ハードディスク装置３から音声のデータを読み出してスピーカから音声を出力する。
【００６３】
ステップＳ１０９：ＣＰＵ２７は、通信部１８に指示を出すことにより、通信部１８は、通信端末５０側とのライフログ情報の共有を開始する。これより、通信端末５０の利用者は、リアルタイムで電子カメラ１側から送信されてくる画像のデータを表示モニタ４で画像として確認することができる（図６（ｃ）参照）。また、通信端末５０の利用者は、リアルタイムで電子カメラ１側から送信されてくる音声のデータをスピーカ６ｂから出力される音声で確認することができる。
【００６４】
ステップＳ１１０：判定部２７ｅは、移動履歴情報に基づいて、ユーザが移動を停止又は注目位置を離れたか否かを判定する。ユーザが注目位置を移動中の場合（ステップＳ１１０：Ｎｏ）、ＣＰＵ２７は、ステップＳ１０８の処理に戻り、引き続き、送信処理を継続する。ユーザが移動を停止又は注目位置を離れた場合（ステップＳ１１０：Ｙｅｓ）、ステップＳ１１１の処理に移行する。なお、ユーザが移動を停止する場合としては、信号待ち等によるものも考えられるので、判定部２７ｅは、ユーザが予め設定した時間を過ぎて停止している場合に、ユーザが移動を停止したと判定しても良い。
【００６５】
ステップＳ１１１：ＣＰＵ２７は、通信部１８に指示を出すことにより、通信部１８は、通信の終了処理を行なう。具体的には、通信部１８は、通信端末５０へのライフログ情報の送信を終了する。そして、ＣＰＵ２７は、図５に示すフローの処理を終了させる。
【００６６】
以上より、本実施形態によれば、ユーザが注目位置或いはその近辺に存在している時に、電子カメラ１と通信端末５０との間でライフログ情報を共有できる。そのため、通信端末５０側では、ハードディスク装置３に記録するライフログ情報のデータ量が膨大になることを抑制して記録することができる。
【００６７】
なお、本実施形態において、通信部１８は、通信端末５０側から画像のデータと音声のデータとの少なくとも何れか一方の受信の拒否を示す拒否通知のコマンドを受け付ける構成としても良い。この場合、通信部１８は、拒否通知のコマンドを受け付けた時刻をフラッシュメモリ１５に記録する。そして、通信部１８は、次回以降、フラッシュメモリ１５に記録されたそのコマンドを受け付けた時刻を参照し、通信端末５０に対してその時刻又はその時刻から予め設定した時間の範囲内での通信を行なわないようにしても良い。これにより、通信端末５０の利用者が、都合の悪い時間帯にライフログ情報の共有をしないで済む。この場合、通信部１８は、ユーザの指示入力に応じて、通信端末５０の利用者の都合の良い時間帯に電子カメラ１に記録されたライフログ情報を送信すれば良い。
【００６８】
（第１変形例）
次に、本実施形態の第１変形例について説明する。第１変形例では、音声解析部２７ｆの処理をさらに加える。音声解析部２７ｆは、マイク２１に入力された音声を解析する。具体的には、音声解析部２７ｆは、音声処理部１９によりデジタル化された音声の音量が予め設定した閾値よりも大きいか否かを解析する。なお、音声には、電子カメラ１のユーザの音声以外にも、周辺環境の音も含まれる。ここで、音声解析部２７ｆは、音量を例えばデシベル単位で解析する。そして、音声の音量が予め設定した閾値よりも大きい場合、通信部１８は、画像のデータのみを通信端末５０に送信する。一方、音声の音量が予め設定した閾値以下の場合、通信部１８は、画像のデータ及び音声のデータを通信端末５０に送信する。ここで、閾値は、フラッシュメモリ１５に記録されているが、ＣＰＵ２７は、ユーザ入力による音量の値（デシベル単位）を閾値としても良い。
【００６９】
これにより、通信端末５０側の利用者は、周囲が騒音の場合には、騒音を聞かずに画像のデータを共有することができる。
【００７０】
（第２変形例）
次に、本実施形態の第２変形例について説明する。第２変形例では、視認性評価部２７ｇの処理をさらに加える。視認性評価部２７ｇは、画像の視認性を評価する。具体的には、視認性評価部２７ｇは、加速度センサ２５の検出結果に基づいて、電子カメラ１の筐体による揺れの度合いを推定する。そして、視認性評価部２７ｇは、揺れの度合いに基づいて、視認性を示す評価値を判定する。ここで、揺れの度合いが大きくなるに従って、評価値は低くなることとする。つまり、電子カメラ１の筐体の揺れが大きくなるに従って、通信端末５０の利用者は、画像が見づらくなる。そして、第２変形例では、揺れの度合いの評価値の閾値を予め設定して、フラッシュメモリ１５に記録しておく。なお、ＣＰＵ２７は、ユーザ入力により、電子カメラ１の筐体による揺れの度合いの閾値を設定しても良い。
【００７１】
すなわち、評価値が閾値以下の場合、通信部１８は、音声のデータのみを通信端末５０に送信する。一方、評価値が閾値よりも大きい場合、通信部１８は、画像のデータ及び音声のデータを通信端末に送信する
或いは、視認性評価部２７ｇは、照度センサ２６の検出結果に基づいて、電子カメラ１の周辺環境の明るさを推定しても良い。そして、視認性評価部２７ｇは、電子カメラ１の周辺環境の明るさに基づいて、視認性を示す評価値を判定する。ここで、明るさの度合いが大きくなるに従って、評価値は高くなることとする。つまり、電子カメラ１の周辺環境の明るさが暗くなるに従って、通信端末５０の利用者は、画像が見づらくなる。そのため、第２変形例では、明るさの度合いの評価値に閾値を予め設定して、フラッシュメモリ１５に記録しておく。なお、ＣＰＵ２７は、ユーザ入力により、明るさの度合いの閾値を設定しても良い。
【００７２】
すなわち、評価値が閾値以下の場合、通信部１８は、音声のデータのみを通信端末５０に送信する。評価値が閾値よりも大きい場合、通信部２０は、画像のデータ及び音声のデータを通信端末５０に送信する。これにより、通信端末５０側の利用者は、画像が見えづらい場合には、音声のデータのみを共有することができる。
【００７３】
（第３変形例）
次に、本実施形態の第３変形例について説明する。第３変形例では、電子カメラ１のユーザが通常と異なるルートの道を通った場合、他者とライフログ情報の共有を行なっても良い。つまり、第３変形例では、移動履歴情報に基づいて、ユーザが新規のルートを移動中の場合に、他者とライフログ情報の共有を行なう。
【００７４】
図８は、第３変形例を説明する図である。例えば、電子カメラ１のユーザ（例えば人物Ｐ２）は、Ａ駅６１からＣ会社６３に出勤する。この場合、追跡部２７ｃは、図中Ａ駅６１からＣ会社６３までの実線で示すルートを移動履歴情報としてフラッシュメモリ１５に記録する。そのため、次回以降、ユーザがＡ駅６１からＣ会社６３に出勤する場合、他者とライフログ情報の共有は行なわない。しかし、ユーザがＢ駅６２からＣ会社６３に出勤する場合、ユーザは、通常と異なるルートの道（新規のルート）を移動することになる。この場合、追跡部２７ｃは、新規のルートに対して注目位置を継続的に移動することとし、図中Ｂ駅６２からＣ会社６３までの破線で示すルートを移動履歴情報としてフラッシュメモリ１５に記録する。そして、通信部１８は、Ｃ会社６３内の通信端末（不図示）に向けてライフログ情報を送信する。なお、ここで、会社内の通信端末は、電子カメラ１のユーザが所有する通信端末であっても良い。この場合、ユーザの所有する通信端末に、ライフログ情報が自動的に記録されるので利便性が向上する。そして、ユーザは、その後に他者とライフログ情報を共有しても良い。
【００７５】
また、第３の変形例では、追跡部２７ｃがユーザの移動の停止を検出した場合、通信部１８は、通信端末側への送信を終了するようにしても良い。例えば、図８の事例の場合、ユーザがＣ会社６３に到着すると、通信端末側への送信を終了する。これにより、第３の変形例では、余計な撮影しないで済むため、ライフログ情報のデータ量をその分、抑制することができる。
【００７６】
また、第３の変形例では、操作部２２が、通信部１８による送信処理の終了を示す指示入力を受け付けても良い。そして、追跡部２７ｃは、操作部２２が送信処理の終了を示す指示入力を受け付けた場合、ユーザの現在位置を通信終了位置としてフラッシュメモリ１５に記録する。そして、通信部１８は、次回以降、追跡部２７ｃが通信終了位置の到達を検出した場合、通信端末側への送信を終了する。例えば、図８の事例の場合、操作部２２が、Ｃ会社６３の正門で送信処理の終了を示す指示入力を受け付けた場合、次回以降、追跡部２７ｃがＣ会社６３の正門の到達を検出した場合、通信端末側への送信を終了する。これにより、第３の変形例では、余計な撮影しないで済むため、ライフログ情報のデータ量をその分、抑制することができる。
【００７７】
（第４変形例）
次に、本実施形態の第４変形例について説明する。第４変形例では、電子カメラ１のユーザが通常のルートを移動中に、その通常のルートから外れた場合に他者とライフログ情報の共有を行なっても良い。つまり、第４変形例では、移動履歴情報に基づいて、ユーザが既に登録済みのルートを移動中に寄り道するような場合、他者とライフログ情報の共有を行なう。
【００７８】
図９は、第４変形例を説明する図である。第４変形例では、例えば、人物Ｐ３が電子カメラ１を装備して、自宅６４から塾６５に通学しているとする。また、祖父の家６６に本実施形態の通信端末（不図示）があるとする。この場合、追跡部２７ｃは、自宅６４から塾６５までの実線で示すルートを移動履歴情報として予めフラッシュメモリ１５に記録している。
【００７９】
追跡部２７ｃは、位置情報取得部２７ｂが取得する位置情報に基づいて、人物Ｐ３の移動経路を追跡する。ここで、人物Ｐ３が実線で示すルートから点線で示すルートに寄り道を開始したとする。この場合、判定部２７ｄは、点線に示すルートが注目位置を移動するものと判定する。そして、通信部１８は、例えば、祖父の家６６の通信端末にライフログ情報を送信する。実際の適用例では、例えば、人物Ｐ３が見知らぬ人物に連れ去られるような場合、通常のルートから外れるので、ライフログ情報を共有できると早期に発見できるという防犯上の効果が得られる。
【００８０】
また、第４変形例の他の事例として、以下に説明する本発明の通信システムを適用しても良い。
【００８１】
図１０は、第４変形例の他の事例を説明する図である。図１０では、本実施形態の通信システム１００を登山の遭難を防止するシステムに適用した事例である。図１０において、電子カメラ１を装備した登山者（不図示）が、登山をする場合を想定する。また、通信端末５０は、例えば、遭難者を救助するための救難センターに設置されていることとする。ここで、電子カメラ１のフラッシュメモリ１５には、電子地図上に正規の登山ルートが記録されていることとする。なお、電子カメラ１を装備した登山者が登山を開始すると、追跡部２７ｃは、位置情報取得部２７ｂが取得する位置情報に基づいて、登山者の移動経路を追跡する。ここで、登山者が正規のルートから外れた場合、判定部２７ｃは、注目位置を移動していると判定する。そして、通信部１８は、救難センターの通信端末５０にライフログ情報を送信する。通信端末５０側では、ライフログ情報を受信し、表示モニタ４に登山者の現在位置の映像を表示する。これにより、登山者と救難センターの職員とは、現在の状況をライフログ情報として共有できる。そして、救難センターの職員は、正規の登山ルートに戻る指示を具体的に映像を見ながら出すことができる。したがって、図１０に示す通信システム１００では、正規の登山ルートを移動中にはライフログ情報を共有しないで済むため、通信端末５０側で、記録するライフログ情報のデータ量が膨大になることを抑制することができる。さらに、図１０に示す通信システム１００では、ライフログ情報を共有することにより、遭難の防止に役立てることができるという効果が得られる。つまり、通信システム１００では、特徴のイベント時にライフログ情報を効率良く共有することができる。
【００８２】
（実施形態の補足事項）
（１）上記実施形態では、電子カメラ１の通信先として通信端末５０を用いたが、他の通信端末としては、例えば、携帯電話機能を有する電子カメラ１と同様であっても良い。この場合、図１の通信システムにおいて、電子カメラ１は、インターネット網４１を介さずに、他の通信端末にライフログ情報を送信しても良い。
【００８３】
（２）上記実施形態では、一例として人物Ｐ１が電子カメラ１を装備する場合について説明したが、例えば、電子カメラ１を、自動車、オートバイ、自転車等の乗り物に装備するようにして、図１に示す通信システム１００を構成しても良い。
【００８４】
（３）上記実施形態では、ライフログ情報として、動画のデータと音声のデータを例示したが、本実施形態の画像は、動画に限られず、静止画像であっても良い。この場合、電子カメラ１では、所定の時間間隔で静止画像を撮影しても良い。
【符号の説明】
【００８５】
１・・・電子カメラ、１１・・・撮像素子、２１・・・マイク、２７ａ・・・記録処理部、２７ｂ・・・位置情報取得部、２７ｃ・・・追跡部、２７ｅ・・・判定部、１８・・・通信部、１００・・・通信システム
【図１】
2012249164.tif 000003
【図２】
2012249164.tif 000004
【図３】
2012249164.tif 000005
【図４】
2012249164.tif 000006
【図５】
2012249164.tif 000007
【図６】
2012249164.tif 000008
【図７】
2012249164.tif 000009
【図８】
2012249164.tif 000010
【図９】
2012249164.tif 000011
【図１０】
2012249164.tif 000012